(57)【要約】【課題】本発明の目的は、亀裂が発生し難い光ファイバコネクタを提供することである。【解決手段】本発明の光ファイバコネクタは、第一ハウジング及び第二ハウジングを備えている。前記第一ハウジングは、中空な条状本体と、前記条状本体の一端から延在して形成されたラッチアームと、前記条状本体の他端に形成された第一係合部と、を含み、前記第一係合部に少なくとも１つの係合孔が形成され、且つ前記条状本体の前記係合孔に隣近する位置に溶接線が形成されている。前記溶接線の延在方向が、前記第一ハウジングの長手方向に直交する。前記第二ハウジングの一端には、前記第一係合部と係合する第二係合部が形成され、前記第二係合部に前記係合孔と係合する係合凸起が形成されている。【選択図】図２
2009251603.tif 000002
【特許請求の範囲】
【請求項１】
中空な条状本体と、前記条状本体の一端から延在して形成されたラッチアームと、前記条状本体の他端に形成された第一係合部と、を含み、前記第一係合部に少なくとも１つの係合孔が形成され、前記条状本体の前記係合孔に隣近する位置に溶接線が形成された第一ハウジングと、
一端に前記第一係合部と係合する第二係合部が形成され、前記第二係合部に前記係合孔と係合する係合凸起が形成された第二ハウジングと、
を備え、前記溶接線の延在方向が、前記第一ハウジングの長手方向に直交することを特徴とする光ファイバコネクタ。
【請求項２】
前記溶接線が、前記係合孔から延在することを特徴とする請求項１に記載の光ファイバコネクタ。
【請求項３】
前記第一係合部に溝部が開設され、前記溝部の延在方向と前記第一ハウジングの長手方向が一致することを特徴とする請求項１に記載の光ファイバコネクタ。
【請求項４】
前記中空な条状本体は、断面が方形であって、お互い連接する４つの側壁を備え、前記ラッチアームと前記係合孔は、別々に前記中空な条状本体の隣接する側壁に設置されたことを特徴とする請求項１に記載の光ファイバコネクタ。
【請求項５】
前記ラッチアームの延在方向と前記中空な条状本体の長手方向が一致することを特徴とする請求項１に記載の光ファイバコネクタ。
【請求項６】
前記光ファイバコネクタは、フェルールとフランジを有し、前記フェルールが前記フランジの一端に固定され、且つ前記フェルールと前記フランジが前記第一ハウジングと前記第二ハウジングから形成された空間に収容されたことを特徴とする請求項１に記載の光ファイバコネクタ。
【請求項７】
前記光ファイバコネクタは、弾性部材を有し、前記弾性部材の一端が前記フランジを押圧し、他端が前記第二ハウジングを押圧することを特徴とする請求項６に記載の光ファイバコネクタ。
【請求項８】
前記弾性部材がスプリングであることを特徴とする請求項７に記載の光ファイバコネクタ。
【請求項９】
前記第一ハウジングは、プラスチック材料からなることを特徴とする請求項１に記載の光ファイバコネクタ。
【発明の詳細な説明】
【技術分野】
【０００１】
本発明は、光ファイバコネクタに関する。
【背景技術】
【０００２】
光ファイバコネクタは、光通信システムに不可欠な光接続部品である。光通信技術の急速な発展に伴い、光ファイバコネクタが光ファイバと光ファイバ又は光ファイバと他の光学部品との接続に大量に用いられる。
【０００３】
図１は、従来の光ファイバコネクタ１００を示す図である。光ファイバコネクタ１００は、第一ハウジング１０、フェルール１１、フランジ１２、スプリング１３及び第二ハウジング１４を含む。
【０００４】
前記第一ハウジング１０は、内側壁に凸起部（図示せず）が形成された中空な条状本体１０１を含む。前記本体１０１の一端には、その外側壁から延在するラッチアーム１０３が形成されるとともに、他端には、係合孔１０７１を有し且つ前記第二ハウジング１４と係合することができる第一係合部１０７が形成される。
【０００５】
前記第二ハウジング１４は、中空な条状本体１４１を含む。前記本体１４１の一端には、前記係合孔１０７１に係合することができる係合凸起１４２３を有する第二係合部１４２が形成され、他端には、光ファイバ挿入部１４３が形成される。前記第二係合部１４２を前記第一係合部１０７に係合することにより前記第二ハウジング１４を前記第一ハウジング１０に固定する。
【０００６】
装着する時、前記フランジ１２で前記フェルール１１を固定し、前記光ファイバ挿入部１４３から挿入される光ファイバ（図示せず）は、前記第二ハウジング１４の本体１４１及び前記スプリング１３を通り抜けてから前記フランジ１２及び前記フェルール１１に挿入固定される。
【０００７】
前記第二係合部１４２を前記第一係合部１０７に挿入して、前記係合凸起１４２３を前記係合孔１０７１に係合させると、前記スプリング１３の一端は、前記第二ハウジング１４を押圧し、前記スプリング１３の他端は、前記フランジ１２を押圧し、前記フランジ１２は、前記本体１０１の内側壁の凸起部を押圧し、このようにして前記スプリング１３、前記フランジ１２及び前記フェルール１１を前記第一ハウジング１０及び前記第二ハウジング１４から形成される空間に収容する。
【０００８】
前記第一ハウジング１０は、一般的にプラスチック射出成型加工により製造される。前記第一ハウジング１０が本体１０１及びラッチアーム１０３を含むので、射出成型における溶融樹脂材料をより容易に流れさせるために、ゲートは、一般的に前記ラッチアーム１０３に近い一端に設置される。それで、溶融樹脂材料の流動距離が短くなり、成型速度が向上し、成型する時に収縮するサイズも減少する。
【０００９】
このように前記溶融樹脂材料が前記係合孔１０７１から離れた一端から前記係合孔１０７１の一端に流れる。成型金型の前記係合孔１０７１と対応する位置に凸起が設けられるため、前記溶融樹脂材料が前記凸起を通過する時、前記凸起により２つの分流に分かれる。その２つの分流が前記凸起を巻き込んで再び合流し、前記係合孔１０７１の縁部に溶接線１０８を形成する。前記溶接線１０８は、前記係合孔１０７１から前記第一ハウジング１０の長手方向に沿って前記第一ハウジング１０の端面に延在する。
【００１０】
組立てる時、前記第二係合部１４２を前記第一係合部１０７に挿入する過程において、前記第二係合部１４２が前記第一係合部１０７に圧力を加え、前記第一係合部１０７の側壁内に引張応力が生じる。前記溶接線１０８の延在方向が前記引張応力の方向に直交するから、前記第一ハウジング１０が前記溶接線１０８に沿って亀裂し易く、製品が容易に壊れる。
【発明の概要】
【発明が解決しようとする課題】
【００１１】
本発明の目的は、亀裂が発生し難い光ファイバコネクタを提供することである。
【課題を解決するための手段】
【００１２】
本発明の光ファイバコネクタは、第一ハウジング及び第二ハウジングを備えている。前記第一ハウジングは、中空な条状本体と、前記条状本体の一端から延在して形成されたラッチアームと、前記条状本体の他端に形成された第一係合部と、を含み、前記第一係合部に少なくとも１つの係合孔が形成され、且つ前記条状本体の前記係合孔に隣近する位置に溶接線が形成されている。前記溶接線の延在方向が、前記第一ハウジングの長手方向に直交する。前記第二ハウジングの一端には、前記第一係合部と係合する第二係合部が形成され、前記第二係合部に前記係合孔と係合する係合凸起が形成されている。
【発明の効果】
【００１３】
従来の技術に比較して、本発明に係る光ファイバコネクタにおいて、前記第一ハウジングの溶接線の延在方向が第一ハウジングの長手方向に直交するので、前記第二ハウジングの第二係合部を前記第一ハウジングの第一係合部に挿入する過程において、前記第二係合部が前記第一係合部の外側壁に圧力を加えて生じた引張応力の方向が、前記溶接線の延伸方向と一致し、亀裂が発生し難い。
【図面の簡単な説明】
【００１４】
【図１】従来の光ファイバコネクタを示す分解斜視図である。
【図２】本発明の実施形態に係る光ファイバコネクタを示す分解斜視図である。
【図３】図２に示す光ファイバコネクタの断面図である。
【図４】図２に示す光ファイバコネクタを別の角度から見た断面図である。
【発明を実施するための形態】
【００１５】
以下、図面に基づいて、本発明の実施形態に係る光ファイバコネクタに対して詳細に説明する。
【００１６】
図２を参照すると、本発明の実施形態に係る光ファイバコネクタ２００は、第一ハウジング２０、フェルール２１、フランジ２２、スプリング２３及び第二ハウジング２４を含む。
【００１７】
図３と図４を参照すると、前記第一ハウジング２０は、お互いに連接する４つの側壁を備えて断面が方形である中空な条状本体２０１を含む。前記本体２０１の一端には、その一つの側壁から前記本体２０１の長手方向に沿って延在するラッチアーム２０３が形成され、他端には、第一係合部２０５が形成される。前記ラッチアーム２０３に凸起２０３１が形成され、前記光ファイバコネクタ２００をアダプタ（図示せず）に挿入する場合、前記凸起２０３１がアダプタの凹溝に係合することで、前記光ファイバコネクタ２００を前記アダプタに固定させる。前記第一係合部２０５には、前記第二ハウジング２４を係合させるための係合孔２０５１及び溝部２０５３が開設される。前記係合孔２０５１は、方形であって、前記本体２０１の前記ラッチアーム２０３が設置された側壁と隣接する側壁に開設される。前記溝部２０５３は、前記ラッチアーム２０３が設置された側壁に開設され、その延在方向が前記本体２０１の長手方向と一致する。なお、前記本体２０１の内側壁に凸起部２０７が形成される。
【００１８】
前記フェルール２１は、筒状に形成され、光ファイバを収容する第一貫通孔２１１が穿設されている。
【００１９】
前記フランジ２２は、基部２２１と、前記基部２２１の一端から延在して形成されるつば部材２２３と、を含み、前記基部２２１に前記フェルール２１を固定するための開口（図示せず）が設けられ、前記つば部材２２３に光ファイバを収容する第二貫通孔２２７が穿設され、且つ前記第二貫通孔２２７が前記フェルール２１の開口に連通する。
【００２０】
前記第二ハウジング２４は、中空な条状本体２４１を含む。前記本体２４１の一端に第二係合部２４２が形成され、他端に光ファイバ挿入部２４３が形成される。前記第二係合部２４２を前記第一係合部２０５に係合することにより前記第二ハウジング２４を前記第一ハウジング２０に固定する。前記第二係合部２４２の内側に前記スプリング２３を固定するための開口部２４２５が設けられ、外側に前記係合孔２０５１に係合できる２つの係合凸起２４２３が対向設置される。前記光ファイバ挿入部２４３は、その一端が前記本体２４１に連通する筒状体である。前記第二ハウジング２４の内部には、光ファイバを収容することに用いられ、且つ前記光ファイバ挿入部２４３と前記本体２４１を貫通して前記開口部２４２５に連通する光ファイバ挿入孔２４５が開設される。前記第二ハウジング２４の内部において、前記光ファイバ挿入孔２４５と前記開口部２４２５との連接部分に肩部２４７が形成される。また、ホルダー２４１１が前記本体２４１の外側壁から延在して形成されるため、前記光ファイバコネクタ２００をアダプタ（図示せず）に装着する場合、前記ホルダー２４１１を握って操作することで、作業が便利になる。
【００２１】
装着する時、前記フランジ２２で前記フェルール２１を固定し、光ファイバ（図示せず）は、前記第二ハウジング２４の光ファイバ挿入孔２４５と、前記スプリング２３と、前記フランジ２２の第二貫通孔２２７及び前記フェルール２１の第一貫通孔２１１を順次に貫通して前記第一貫通孔２１１に固定される。前記スプリング２３は、前記フランジ２２のつば部材２２３に装着され、且つ前記つば部材２２３と一緒に前記第二係合部２４２の開口部２４２５に収容される。前記第二ハウジング２４の第二係合部２４２を前記第一ハウジング２０の中空部分に挿入する場合、前記溝部２０５３が弾性変形して前記係合凸起２４２３を対応する前記係合孔２０５１に係合させる。その時、前記スプリング２３の一端は、前記フランジ２２の基部２２１を押圧し、前記基部２２１は、前記押圧力によって前記第一ハウジング２０の内部の凸起部２０７を押圧し、前記スプリング２３の他端は、前記肩部２４７を押圧するので、前記フェルール２１が前記第一ハウジング２０の長手方向に沿って滑動することができる。
【００２２】
前記第一ハウジング２０は、２つのゲートからプラスチック材料を注入して一体成型される。前記２つのゲートを特定の間隔で前記第一ハウジング２０のラッチアーム２０３と対向する側面に設置し、且つ少なくとも１つのゲートを前記係合孔２０５１の真上近くに設置させる。その後、溶融したプラスチック材料を前記ゲートから金型のキャビティに注入すると、前記溶融したプラスチック材料が前記ゲートの位置から前記係合孔２０５１の位置へ流れる。前記キャビティ内の前記係合孔２０５１と対応する位置に凸起が設けられたから、溶融したプラスチック材料が前記凸起を通過する時、前記凸起により２つの分流に分かれ、且つ前記凸起を巻き込んで再び合流し、合流した位置が冷却されると溶接線２０８が形成される。前記溶接線２０８が、前記係合孔２０５１から前記第一ハウジング２０の本体２０１の長手方向に直交する方向に沿って延在する。
【００２３】
前記第二係合部２４２を前記第一ハウジング２０の中空部分に挿入する場合、前記第二係合部２４２が前記第一係合部２０５の外側壁に圧力を加え、そこに引張応力を生じさせる。前記溶接線２０８が前記係合孔２０５１の近くから前記第一ハウジング２０の長手方向に直交する方向に沿って延在しているから、前記第一係合部２０５の外側壁に生じた引張応力の方向が前記溶接線２０８の延在方向と一致し、前記溶接線２０８と前記第一係合部２０５の端面が交わらないため、前記第一係合部２０５の端面の平均強度が高くなり、亀裂が発生し難い。
【００２４】
射出成型する時に２つのゲートを採用したので、ゲート毎の材料注入量が、単ゲートを採用する時の注入量よりずっと少ない故、成型後に形成される製品のスプルーが小さくなり、製品を取り出す時、スプルーが自動的にスライダに除去されるから、別のスプルー抜き作業を省略し、生産性を向上させるうえ、コストも削減することができる。もちろん２つ以上のゲートを採用しても、同じ効果を獲得することができる。
【００２５】
また、前記第一係合部２０５を前記第二ハウジング２４に、前記第二係合部２４２を前記第一ハウジング２０に設置することもできる。
【００２６】
以上、本発明の好適な実施形態について詳細に説明したが、本発明は前記実施形態に限定されるものではなく、本発明の範囲内で種々の変形又は修正が可能であり、該変形又は修正も又、本発明の特許請求の範囲内に含まれるものであることは、いうまでもない。
【符号の説明】
【００２７】
２００  光ファイバコネクタ
２０  第一ハウジング
２０１  第一ハウジングの本体
２０３  ラッチアーム
２０３１  凸起
２０５  第一係合部
２０５１  係合孔
２０５３  溝部
２０７  凸起部
２０８  溶接線
２１  フェルール
２１１  第一貫通孔
２２  フランジ
２２１  基部
２２３  つば部材
２２７  第二貫通孔
２３  スプリング
２４  第二ハウジング
２４１  第二ハウジングの本体
２４１１  ホルダー
２４２  第二係合部
２４２３  係合凸起
２４２５  開口部
２４３  光ファイバ挿入部
２４５  光ファイバ挿入孔
２４７  肩部
【図１】
2009251603.tif 000003
【図２】
2009251603.tif 000004
【図３】
2009251603.tif 000005
【図４】
2009251603.tif 000006